(57)【要約】【課題】  記憶媒体１の残り記憶容量を含む記憶属性８を簡単に確認する。【解決手段】  情報の印字及び消去が可能なリライト領域６が形成された記憶媒体１と、電子機器における記憶媒体の収納部１２に取付けられ、リライト領域に対して情報の印字及び消去を行う印字消去ヘッド１４とを設けている。そして、字消去ヘッドを駆動してリライト領域に印字されている情報を消去し、記憶媒体が収納部に収納された状態において、記憶媒体における少なくとも残り記憶容量を含む記憶属性８を読取り、印字消去ヘッドを駆動して情報が消去された状態のリライト領域に読取った記憶属性を印字する。【選択図】      図３
2005038312.tif 000002
【特許請求の範囲】
【請求項１】
情報記録面以外の外部に露出する部位に情報の印字及び消去が可能なリライト領域が形成された記憶媒体と、
この記憶媒体が収納部に収納された状態において前記記憶媒体に対して各種情報の書込読出を行う電子機器における前記収納部に取付けられ、前記記憶媒体のリライト領域に対して情報の印字及び消去を行う印字消去ヘッドと、
前記電子機器内に設けられ、前記印字消去ヘッドを駆動して前記リライト領域に印字されている情報を消去する情報消去手段と、
前記電子機器内に設けられ、前記記憶媒体が収納部に収納された状態において、前記記憶媒体における少なくとも残り記憶容量を含む記憶属性を読取る記憶属性読取手段と、
前記電子機器内に設けられ、前記印字消去ヘッドを駆動して情報が消去された状態のリライト領域に前記読取った記憶属性を印字する記憶属性印字手段と
を備えたことを特徴とする記憶媒体の記憶属性表示システム。
【請求項２】
前記リライト領域には印加された熱履歴に応じて色が変化する化学物質層が形成され、
前記印字消去ヘッドは、複数の加熱素子が二次元配置されたドットマトリックスヘッドで構成され、
前記情報消去手段は、前記記憶媒体が収納部に収納された状態において、前記リライト領域に印字されている情報を消去し、
前記記憶属性印字手段は、前記記憶媒体が収納部に収納された状態において、前記リライト領域に記憶属性を印字する
ことを特徴とする請求項１記載の記憶媒体の記憶属性表示システム。
【請求項３】
前記リライト領域には印加された熱履歴に応じて色が変化する化学物質層が形成され、
前記印字消去ヘッドは、複数の加熱素子が一次元配置されたラインヘッドで構成され、
前記情報消去手段は、前記記憶媒体の収納部に対する収納動作過程で、前記リライト領域に印字されている情報を消去し、
前記記憶属性印字手段は、前記記憶媒体の収納部からの排出動作過程で、前記リライト領域に記憶属性を印字する
ことを特徴とする請求項１記載の記憶媒体の記憶属性表示システム。
【請求項４】
前記電子機器内に、操作入力された前記記憶媒体に記憶されている情報を特定するタイトルを記憶するメモリまたは、記憶媒体内にタイトルなどの情報を記録したファイルを設け、
前記記憶属性印字手段は、前記リライト領域に前記記憶属性と共に前記タイトルを印字する
ことを特徴とする請求項１から３のいずれか１項記載の記憶媒体の記憶属性表示システム。
【請求項５】
前記記憶媒体における情報記録面以外の外部に露出する部位に設けられ、前記リライト領域に対する情報の印字及び消去を可能とするか禁止とするかの機械的スイッチと、
前記電子機器内に設けられ、収納部に収納された前記記憶媒体の機械的スイッチのスイッチ状態が印字及び消去の禁止を示すとき、前記印字消去ヘッドの動作を禁止する印字消去禁止手段と
を備えたことを特徴とする請求項２記載の記憶媒体の記憶属性表示システム。
【請求項６】
前記記憶媒体は、ケース内に記憶素子を収納したメモリカードであることを特徴とする請求項１から５のいずれか１項記載の記憶媒体の記憶属性表示システム。
【請求項７】
前記リライト領域には印加された熱履歴に応じて色が変化する化学物質が塗布されていることを特徴とする請求項２又は３記載の記憶媒体の記憶属性表示システム。
【請求項８】
前記リライト領域には印加された熱履歴に応じて色が変化する化学物質のシールが貼付けられていることを特徴とする請求項２又は３記載の記憶媒体の記憶属性表示システム。
【発明の詳細な説明】
【技術分野】
【０００１】
本発明は各種情報を記憶する記憶媒体における記憶属性を表示する記憶媒体の記憶属性表示システムに関する。
【背景技術】
【０００２】
ＰＣ（パーソナルコンピュータ）、携帯電話、ＰＡＤ、携帯型ＡＶ機器、デジタルカメラ等の各種の電子機器で扱う各種の情報を記憶保持する記憶媒体として、メモリカード、ＭＤ、ＣＤＲ、ＤＶＤ等が実用化されている。そして、一般に、これらの各記憶媒体は、電子機器に対して簡単に着脱可能に構成されている。
【０００３】
各電子機器のユーザは、電子機器の使用頻度に応じて、この電子機器に多数の記憶媒体を取り替えて装着して使用する。したがって、同一種類の記憶媒体を多数所持することになる。特に、電子機器がデジタルカメラの場合、多くの撮影画像を記憶保管しておくために多数の記憶媒体が使用される。
【０００４】
この結果、ユーザは各記憶媒体に記憶されている記憶内容を把握しづらくなる。記憶媒体の販売業者は、記憶内容を記入して記憶媒体に貼付けるためのインデックスラベルを記憶媒体に添付して販売している。
【０００５】
しかし、ユーザにとっては記憶内容をインデックスラベルに手書きで記入して、記憶媒体に貼付けるのは非常に煩雑である。また、記憶媒体の記憶内容を書換えた場合には、インデックスラベルの記載内容を手書きで書換える必要があり、さらに煩雑である。特に、記憶媒体における残り記憶容量を調べてインデックスラベルに書込むことは手間がかかり実施されることは非常にまれである。
【０００６】
なお、紙やプラスチックのカードの一部にリライト領域を形成し、このリライト領域にリライト専用のプリンタで必要な情報を印字したり、一旦印字した情報を消去する技術が特許文献１に報告されている。この場合、リライト領域には、ロイコ染料と顕色剤との混合材が塗布されており、一定温度に加熱するとロイコ染料と顕色剤とが反応して発色する。この発色を消去するためには、規定温度以上に再加熱すればよい。
【特許文献１】特開２００３―１４１４５６号公報
【発明の開示】
【発明が解決しようとする課題】
【０００７】
本発明はこのような事情に鑑みてなされたものであり、電子機器自体を大型化することなく、電子機器の収納部に記憶媒体を着脱するのみで、記憶媒体のリライト領域に印字されていた記憶媒体の残り容量を含む古い記憶属性が消去されて、自動的に最新の記憶属性が印字され、ユーザにとって、一瞥して記憶媒体の最新の記憶属性が確認できる記憶媒体の記憶属性表示システムを提供することを目的とする。
【課題を解決するための手段】
【０００８】
上記課題を解消するために、本発明の一様態の記憶媒体の記憶属性表示システムにおいては、情報記録面以外の外部に露出する部位に情報の印字及び消去が可能なリライト領域が形成された記憶媒体と、この記憶媒体が収納部に収納された状態において記憶媒体に対して各種情報の書込読出を行う電子機器における収納部に取付けられ、記憶媒体のリライト領域に対して情報の印字及び消去を行う印字消去ヘッドと、電子機器内に設けられ、印字消去ヘッドを駆動してリライト領域に印字されている情報を消去する情報消去手段と、電子機器内に設けられ、記憶媒体が収納部に収納された状態において、記憶媒体における少なくとも残り記憶容量を含む記憶属性を読取る記憶属性読取手段と、電子機器内に設けられ、印字消去ヘッドを駆動して情報が消去された状態のリライト領域に読取った記憶属性を印字する記憶属性印字手段とを備えている。
【発明の効果】
【０００９】
このように構成された記憶媒体の記憶属性表示システムにおいては、電子機器自体を大型化することなく、電子機器の収納部に記憶媒体を着脱するのみで、記憶媒体のリライト領域に印字されていた記憶媒体の残り容量を含む古い記憶属性が消去されて、自動的に最新の記憶属性が印字され、ユーザにとって、一瞥して記憶媒体の最新の記憶属性が確認できる。
【発明を実施するための最良の形態】
【００１０】
以下本発明の各実施形態を図面を用いて説明する。
【００１１】
（第１実施形態）
図１（ａ）は本発明の第１実施形態に係わる記憶媒体の記憶属性表示システムで採用される記憶媒体としてのメモリカードの外観図である。このメモリカード１においては、箱型のケース２内に、ＣＰＵ、インタフェース、フラッシュメモリ（記憶素子）等の多数の電子素子が収納されている。ケース２の一方の端面３には多数の端子４が配設されている。ケース２の上面における他方の端面５側には、文字、図形等の情報の印字及び消去が可能なリライト領域６が形成されている。
【００１２】
このリライト領域６には、印加された熱履歴に応じて色が変化する化学物質が塗布されている。なお、この化学物質を塗布する代わりに、化学物質のシールを貼付けることも可能である。このように化学物質のシールを採用することによって、市販の一般のメモリカードに簡単にリライト領域６を形成することが可能である。
【００１３】
リライト領域６に塗布された化学物質として、前述したロイコ染料と顕色剤との混合材が採用されており、この混合材を一定温度に加熱するとロイコ染料と顕色剤とが反応して発色する。この発色を消去するためには、規定温度以上に再加熱すればよい。
【００１４】
したがって、熱を利用した印字ヘッドを用いてこのリライト領域６に対して、文字、図形等の情報の印字及び消去が可能となる。図１（ｂ）は、リライト領域６に対して文字、図形等の情報を印字した状態を示す。情報として、このメモリカード１に記憶されている情報を特定するタイトル７、及びこのメモリカード１の残り記憶容量を含む記憶属性８が印字されている。
【００１５】
図３は第１実施形態に係わる記憶媒体の記憶属性表示システムの全体構成を示すブロック図である。この実施形態システムにおいては電子機器としてデジタルカメラ９が採用されている。
【００１６】
内部のシステムバス１０に対して、収納部としてのメモリカード１が装着可能なコネクタ１２のインタフェース（Ｉ／Ｆ）１１、印字消去ヘッド１４のプリンタ駆動回路１３、メモリ１５、制御部（ＣＰＵ）１６、カメラ本体１８のインタフェース（Ｉ／Ｆ）１７、操作部２０のインタフェース（Ｉ／Ｆ）１９が接続されている。
【００１７】
図２は、コネクタ１２と印字消去ヘッド１４との位置関係を示す図である。この第１実施形態に係わる記憶媒体の記憶属性表示システムで採用される印字消去ヘッド１４は、複数の加熱素子が二次元配置されたドットマトリックスヘッドで構成されている。したがって、この印字消去ヘッド１４は一度に二次元の文字、図形の印字、消去が可能である。そして、この印字消去ヘッド１４における一度に印字、消去可能な面積は、メモリカード１のリライト領域６の面積にほぼ一致している。この印字消去ヘッド１４がコネクタ１２に組込まれている。
【００１８】
そして、メモリカード１がコネクタ１２に正しく装着された状態において、印字消去ヘッド１４がメモリカード１のリライト領域６に接する。この状態において、プリンタ駆動回路１３が印字消去ヘッド１４の各加熱素子を一定温度に加熱すると、メモリカード１のリライト領域６に、図１（ｂ）に示すように、タイトル７や記憶属性８等の文字、図形が印字される。一旦、印字された文字、図形を消去する場合、プリンタ駆動回路１３が印字消去ヘッド１４の全ての加熱素子を規定温度以上に再加熱する。
【００１９】
メモリ１５内には、図４に示すように、このデジタルカメラ９のユーザが操作部２０を介して操作入力されたタイトル７、及びコネクタ１２に装着されたメモリカード１から読取った図１（ｂ）に示す残り撮影枚数、残り記憶容量、最終更新日付等からなる記憶属性８が必要に応じて記憶される。
【００２０】
そして、この電子機器としてデジタルカメラ９の制御部（ＣＰＵ）１６は、図５の流れ図に従って、メモリカード１のリライト領域６に対するタイトル７及び記憶属性８の印字及び消去処理を実施する。
【００２１】
電子機器としてデジタルカメラ９の電源が投入されると、インタフェース（Ｉ／Ｆ）１１を介して、コネクタ１２にメモリカード１が装着されているか否かを調べる（Ｓ１）。メモリカード１が装着されていない場合は、装着されるまで待つ。コネクタ１２にメモリカード１が装着された状態において、ユーザが操作部２０を介してタイトル７を操作入力すると、（Ｓ２）。この操作入力されたタイトル７をメモリ１５に書込む（Ｓ３）。さらに、カメラ本体１８から１枚の撮影画像が入力すると（Ｓ４）。この撮影画像をコネクタ１２に装着されているメモリカード１に書込む（Ｓ５）。この場合、メモリカード１に記憶されている記憶属性８も同時に更新される。そして、Ｓ２へ戻る。
【００２２】
カメラ本体１８からの撮影画像の入力が終了して、ユーザが操作部２０を介してメモリカード１に対するイジェクト指示操作を実施すると（Ｓ６）、この時点におけるメモリカード１に記憶されている記憶属性８を読取って、メモリ１５に書込む（Ｓ７）。次に、プリンタ駆動回路１３を介して印字消去ヘッド１４を駆動して、コネクタ１２に装着されているメモリカード１のリライト領域６に印字されている古いタイトル７や記憶属性８を消去する（Ｓ８）。
【００２３】
次に、メモリ１５に記憶されているタイトル７、記憶属性８を読出す。そして、プリンタ駆動回路１３を介して印字消去ヘッド１４を駆動して、コネクタ１２に装着されているメモリカード１のリライト領域６に対して、図１（ｂ）に示すように、読出したタイトル７、記憶属性８を印字する（Ｓ９）。その後、コネクタ１２に装着されているメモリカード１を排出する（Ｓ１０）。
【００２４】
このように構成された第１実施形態の記憶媒体の記憶属性表示システムにおいては、図１（ａ）に示すように、メモリカード１に文字や図形の情報の印字及び消去が可能なリライト領域６が形成されている。このメモリカード１を電子機器としてのデジタルカメラ９のコネクタ１２に装着して、撮影を行うと、撮影画像が順次メモリカード１に蓄積されていく。そして、撮影が終了して、メモリカード１のイジェクト指示操作を行うと、メモリカード１のリライト領域６に印字されている古いタイトル７や記憶属性８が消去されたのち、このリライト領域６に最新のタイトル７や記憶属性８が印字されたのち、コネクタ１２から排出される。
【００２５】
したがって、電子機器としてのデジタルカメラ９のユーザは、メモリカード１のリライト領域６を一瞥するのみで、メモリカード１に記憶された情報のタイトル７や最新の記憶属性８を確認できる。
【００２６】
また、電子機器としてのデジタルカメラ９のユーザは、メモリカード１の記憶内容（記憶属性８）を調べたり、この調べた記憶内容（記憶属性８）をインデックスラベルに手書きで記入したり、さらに、手書きで記入した記憶内容（記憶属性８）を手書きで書き直す必要がない。よって、ユーザの作業負担が大幅に軽減される。
【００２７】
また、ユーザは、メモリカード１に記憶された情報のタイトル７を任意に設定して、メモリカード１のリライト領域６に記憶属性８と共に印字させることが可能であるので、複数のメモリカード１を整理して保管するときに非常に便利である。
【００２８】
また、前述したように、メモリカード１のリライト領域６を、印加された熱履歴に応じて色が変化する化学物質を塗布する代わりに、化学物質のシールを貼付けることも可能である。このように化学物質のシールを採用することによって、市販の一般のメモリカードに簡単にリライト領域６を形成することが可能である。
【００２９】
さらに、この第１実施形態の記憶媒体の記憶属性表示システムにおいては、印字消去ヘッド１４は、複数の加熱素子が二次元配置されたドットマトリックスヘッドで構成されており、かつ、一度に印字、消去可能な面積は、メモリカード１のリライト領域６の面積に一致している。したがって、機械的な可動部分が存在しないので、印字消去ヘッド１４が組込まれたデジタルカメラ９等の電子機器が大型化することはない。
【００３０】
（第２実施形態）
図６は本発明の第２実施形態に係わる記憶媒体の記憶属性表示システムで採用される印字消去ヘッド２１を示す模式図である。この印字消去ヘッド２１は、複数の加熱素子２１ａが一次元配置されたラインヘッドで構成されている。このラインヘッドの幅Ｗは、図１（ａ）に示すメモリカード１のリライト領域６の幅Ｗにほぼ等しく設定されている。そして、このラインヘッドからなる印字消去ヘッド２１は、第１実施形態のドットマトリックスヘッドからなる印字消去ヘッド１４と同様に、コネクタ１２に組込まれている。
【００３１】
さらに、コネクタ１２には、このコネクタ１２に対して挿入動作過程のメモリカード１における幅Ｗ方向と直交する方向の移動位置を検出する移動センサ２２が取付けられている。したがって、このメモリカード１をコネクタ１２に対して挿入動作過程において、ラインヘッドからなる印字消去ヘッド２１の各加熱素子２１ａを、移動センサ２２の検出した移動位置に同期して通電制御することによって、メモリカード１のリライト領域６に文字、図形を印字することが可能である。同様に、メモリカード１のリライト領域６に印字された文字、図形を消去することが可能である。
【００３２】
この第２実施形態システムにおいては、メモリカード１のコネクタ１２に対する挿入動作過程において、ラインヘッドからなる印字消去ヘッド２１を駆動して、メモリカード１のリライト領域６に印字された古いタイトル７及び記憶属性８を消去する。さらに、メモリカード１のコネクタ１２からの排出動作過程において、ラインヘッドからなる印字消去ヘッド２１を駆動して、メモリカード１のリライト領域６に最新のタイトル７及び記憶属性８を印字する。
【００３３】
図７は、第２実施形態に係わる記憶媒体の記憶属性表示システムの全体構成を示すブロック図である。図３に示す第１第実施形態の記憶媒体の記憶属性表示システムと同一部分には同一符号を付して重複する部分の詳細説明を省略する。
【００３４】
内部のシステムバス１０に対して、メモリカード１が装着可能なコネクタ１２のインタフェース（Ｉ／Ｆ）１１、印字消去ヘッド２１のプリンタ駆動回路２３、メモリ１５、制御部（ＣＰＵ）１６、カメラ本体１８のインタフェース（Ｉ／Ｆ）１７、操作部２０のインタフェース（Ｉ／Ｆ）１９が接続されている。なお、プリンタ駆動回路２３には、移動センサ２２で検出されたメモリカード１の移動位置が入力される。また、メモリカード１には、図１（ａ）に示すように、リライト領域６が形成されている。
【００３５】
そして、この電子機器としてデジタルカメラ９の制御部（ＣＰＵ）１６は、図８の流れ図に従って、メモリカード１のリライト領域６に対するタイトル７及び記憶属性８の印字及び消去処理を実施する。
【００３６】
電子機器としてデジタルカメラ９の電源が投入されると、インタフェース（Ｉ／Ｆ）１１を介して、コネクタ１２にメモリカード１が装着されているか否かを調べる（Ｑ１）。メモリカード１が装着されていない場合は、移動センサ２２からメモリカード１の移動位置が入力開始することで、メモリカード１のコネクタ１２に対する挿入動作の開始を検出する。メモリカード１のコネクタ１２に対する挿入動作が開始すると（Ｑ２）、プリンタ駆動回路２３を介して印字消去ヘッド２１を駆動して、コネクタ１２に挿入動作過程におけるメモリカード１のリライト領域６に印字されている古いタイトル７や記憶属性８を消去する（Ｑ３）。
【００３７】
コネクタ１２にメモリカード１が装着された状態において、ユーザが操作部２０を介してタイトル７を操作入力すると、（Ｑ４）。この操作入力されたタイトル７をメモリ１５に書込む（Ｑ５）。さらに、カメラ本体１８から１枚の撮影画像が入力すると（Ｑ６）。この撮影画像をコネクタ１２に装着されているメモリカード１に書込む（Ｑ７）。この場合、メモリカード１に記憶されている記憶属性８も同時に更新される。そして、Ｑ４へ戻る。
【００３８】
カメラ本体１８からの撮影画像の入力が終了して、ユーザが操作部２０を介してメモリカード１に対するイジェクト指示操作を実施すると（Ｑ８）、この時点におけるメモリカード１に記憶されている記憶属性８を読取って、メモリ１５に書込む（Ｑ９）。
【００３９】
次に、メモリ１５に記憶されているタイトル７、記憶属性８を読出す。そして、移動センサ２２からメモリカード１の移動位置が変化することで、メモリカード１のコネクタ１２からの排出動作の開始を検出する。メモリカード１のコネクタ１２からの排出動作が開始すると（Ｑ１０）、プリンタ駆動回路２３を介して印字消去ヘッド２１を駆動して、コネクタ１２に装着されているメモリカード１のリライト領域６に対して、図１（ｂ）に示すように、読出したタイトル７、記憶属性８を印字する（Ｑ１１）。
【００４０】
このように構成された第２実施形態の記憶媒体の記憶属性表示システムにおいては、メモリカード１をデジタルカメラ９のコネクタ１２に対して挿入開始すると、挿入動作過程において、メモリカード１のリライト領域６に印字されている古いタイトル７や記憶属性８が消去される。そして、メモリカード１が装着された状態で撮影を行うと、撮影画像が順次メモリカード１に蓄積されていく。そして、撮影が終了して、メモリカード１のイジェクト指示操作を行うと、このメモリカード１のコネクタ１２からの排出動作過程におい、メモリカード１のリライト領域６に最新のタイトル７や記憶属性８が印字される。
【００４１】
したがって、電子機器としてのデジタルカメラ９のユーザは、メモリカード１のリライト領域６を一瞥するのみで、メモリカード１に記憶された情報のタイトル７や最新の記憶属性８を確認できる。よって、先に説明した第１実施形態の記憶媒体の記憶属性表示システムとほぼ同じ効果を奏することが可能である。
【００４２】
さらに、この第２実施形態の記憶媒体の記憶属性表示システムにおいては、印字消去ヘッド２１として図６に示す複数の加熱素子２１ａが一次元配置されたラインヘッドを採用し、メモリカード１のコネクタ１２に対する挿入動作過程とコネクタ１２からの排出動作過程において、メモリカード１のリライト領域６に対するタイトル７、記憶属性８の消去、印字を実施している。したがって、機械的な可動部分が存在しないので、ラインヘッドからなる印字消去ヘッド２１が組込まれたデジタルカメラ９等の電子機器が大型化することはない。
【００４３】
（第３実施形態）
図９は本発明の第３実施形態に係わる記憶媒体の記憶属性表示システムで採用される記憶媒体としてのメモリカード１ａの外観図である。図１（ａ）に示す第１実施形態システムのメモリカード１と同一部分には同一符号を付して、重複する部分の詳細説明を省略する。
【００４４】
このメモリカード１ａにおいては、ケース２の側面２４に凹部２５が形成されており、この凹部２５内に、リライト領域６に対する情報の印字及び消去を可能とするか禁止とするかの機械的スイッチ２６が設けられている。ユーザが予めこの機械的スイッチ２６のスイッチ状態（スライド位置）を「可能」か「禁止」にマニュアル設定した状態で、図２に示す電子機器のコネクタ１２内へ挿入する。
【００４５】
なお、図９に示すように、機械的スイッチ２６の位置を凹部２５内の端面５方向へ移動した場合は「禁止」であり、機械的スイッチ２６の位置を凹部６内の端面３方向へ移動した場合は「可能」である。
【００４６】
第３実施形態に係わる記憶媒体の記憶属性表示システムの概略構成及び処理動作は図３及び図５に示す第１実施形態システムの概略構成及び処理動作とほぼ同じであるので、異なる部分のみを説明する。
【００４７】
この第３実施形態システムにおいては、コネクタ１２内に、機械的スイッチ２６のスイッチ状態（スライド位置）を検出するスイッチ状態検出センサが取付けられている。そして、スイッチ状態検出センサが印字及び消去の「禁止」を示すときは、印字消去ヘッド１４の動作を禁止している。
【００４８】
このように、ケース２の側面２４にユーザがリライト領域６に対するタイトル７及び記憶属性８の印字及び消去の「可能」又は「禁止」をマニュアル設定する機械的スイッチ２６を取付ることによって、ユーザにとって、メモリカード１の整理保管手法の選択肢を拡大できる。
【００４９】
なお、本発明は上述した各実施形態に限定されるものではない。  
各実施形態においては、電子機器をデジタルカメラ９としたが、デジタルカメラ９に限定されるものでははく、ＰＣ（パーソナルコンピュータ）、携帯電話、ＰＡＤ、携帯型ＡＶ機器等の各種の電子機器であってもよい。
【００５０】
さらに、各実施形態においては、記憶媒体をメモリカード１、１ａとしが、メモリカード１、１ａに限定されるものでははく、図１０に示すＣＤＲ２７、図１１に示すＭＤ２８であってもよい。さらに、ＤＶＤであってもよい。なお、図１０に示すＣＤＲ２７の場合、情報記録面と反対のラベル面にリライト領域６が設けられている。また、図１１に示すＭＤ２８においてはケース２の一方面にリライト領域６が設けられている。
【図面の簡単な説明】
【００５１】
【図１】本発明の第１実施形態に係わる記憶媒体の記憶属性表示システムで採用されるメモリカードの外観図
【図２】同第１実施形態の記憶媒体の記憶属性表示システムにおけるコネクタと印字消去ヘッドとの位置関係を示す図
【図３】同第１実施形態の記憶媒体の記憶属性表示システムの全体構成を示すブロック図
【図４】同第１実施形態の記憶媒体の記憶属性表示システムに組込まれたメモリの記憶内容を示す図
【図５】同第１実施形態の記憶媒体の記憶属性表示システムが行う処理動作を示す流れ図
【図６】本発明の第２実施形態に係わる記憶媒体の記憶属性表示システムで採用される印字消去ヘッドを示す模式図
【図７】同第２実施形態の記憶媒体の記憶属性表示システムの全体構成を示すブロック図
【図８】同第２実施形態の記憶媒体の記憶属性表示システムが行う処理動作を示す流れ図
【図９】本発明の第３実施形態に係わる記憶媒体の記憶属性表示システムで採用されるメモリカードの外観図
【図１０】本発明の各実施形態に係わる記憶媒体の記憶属性表示システムで採用されるＣＤＲの外観図
【図１１】本発明の各実施形態に係わる記憶媒体の記憶属性表示システムで採用されるＭＤの外観図
【符号の説明】
【００５２】
１，１ａ…メモリカード、２…ケース、３，５…端面、６…リライト領域、７…タイトル、８…記憶属性、９…デジタルカメラ、１２…コネクタ、１３，２３…プリンタ駆動回路、１４，２１…印字消去ヘッド、１５…メモリ、１６…制御部（ＣＰＵ）、１８…カメラ本体、２０…操作部、２４…側面、２６…機械的スイッチ、２７…ＣＤＲ、２８…ＭＤ
【図１】
2005038312.tif 000003
【図２】
2005038312.tif 000004
【図３】
2005038312.tif 000005
【図４】
2005038312.tif 000006
【図５】
2005038312.tif 000007
【図６】
2005038312.tif 000008
【図７】
2005038312.tif 000009
【図８】
2005038312.tif 000010
【図９】
2005038312.tif 000011
【図１０】
2005038312.tif 000012
【図１１】
2005038312.tif 000013